(57)【要約】【課題】たとえ暗闇であってもスロット面の方向の確認が容易であり、また、金属体などをスロット部からどの方向についてどの程度離せばよいのかの判断を容易に行うことができ、延線作業の容易化が図られたＬＣＸを提供する。【解決手段】中心導体２と、中心導体２を被覆した絶縁体３と、絶縁体３の外側を覆う外部導体４と外部導体４を被覆した外被５とが同軸構造となされ、外部導体４に漏洩電磁界形成用の複数のスロット部６が形成された漏洩同軸ケーブルであって、外被５の表面には、蓄光材料により、スロット部６の位置を表示する目印７が形成されている。【選択図】図１
2012253646.tif 000002
【特許請求の範囲】
【請求項１】
中心導体と、この中心導体を被覆した絶縁体と、この絶縁体の外側を覆う外部導体と、この外部導体を被覆した外被とが同軸構造となされ、前記外部導体に漏洩電磁界形成用の複数のスロット部が形成された漏洩同軸ケーブルであって、
前記外被の表面には、蓄光塗料により、前記スロット部の位置を表示する目印が印刷されている
ことを特徴とする漏洩同軸ケーブル。
【請求項２】
中心導体と、この中心導体を被覆した絶縁体と、この絶縁体の外側を覆う外部導体と、この外部導体を被覆した外被とが同軸構造となされ、前記外部導体に漏洩電磁界形成用の複数のスロット部が形成された漏洩同軸ケーブルであって、
前記外被の一部は、蓄光樹脂により形成され、この蓄光樹脂により形成された部分が、前記スロット部の位置を表示する目印となっている
ことを特徴とする漏洩同軸ケーブル。
【請求項３】
前記目印は、この漏洩同軸ケーブルの軸回りについての前記スロット部の位置を中心とする電磁波の放射分布特性を表示するものである
ことを特徴とする請求項１、または、請求項２記載の漏洩同軸ケーブル。
【発明の詳細な説明】
【技術分野】
【０００１】
本発明は、漏洩同軸ケーブルに関し、特に、表面に蓄光材料による目印を設けた漏洩同軸ケーブルに関するものである。
【背景技術】
【０００２】
漏洩同軸ケーブル（以下、「ＬＣＸ」という。）は、新幹線沿いに布設されて列車と地上との無線連絡のために使用されたり、あるいは、地下鉄構内や地下街に布設されて地上との消防無線や警察無線の連絡用に使用されている。
【０００３】
図５は、前記ＬＣＸの一部破断斜視図、図６は、前記ＬＣＸの横断面図である。すなわち、前記ＬＣＸは、図５及び図６に示すように、内部導体１０２、絶縁体１０３、外部導体１０４及び外被（シース）１０５を備えて同軸状に構成されている。内部導体１０２は、銅の中空線（銅パイプ）、もしくは、銅被覆アルミニウム線によって構成されている。外部導体１０４には、同導体１０４内の電磁エネルギーを外部に漏洩させるために、周期的なスロット部１０１が設けられている。すなわち、外部導体１０４には、ケーブル軸に対して一定周期毎に、一周期当たり複数の長孔状のスロット部１０１が設けられている。各スロット部１０１は、ケーブル軸に対して所定の角度を持って傾斜されている。
【０００４】
ＬＣＸ１は、外部導体１０４にスロット部１０１をケーブル長手方向に連続的に設けることにより、これらスロット部１０１から電波を漏洩させ、長手方向に連続的に放射される電波の重ね合わせを利用して、外部との通信を行なっている。そのため、ＬＣＸは、スロット部１０１が形成された方向、すなわちスロット面１０１ａの法線方向１０１ｂがＬＣＸ全長で、一定方向を向くように延線することが望ましい。また、スロット面１０１ａが、ＬＣＸの近傍の金属体によって覆われないようにする必要がある。なおスロット面１０１ａは、より詳細には、図６に示すように、例えば、スロット部１０１の長手方向の中点における外部導体１０４の外表面の接平面から成る。
【０００５】
特許文献１には、外被１０５にスロット面の方向を目視により識別可能とする目印を設けたＬＣＸが記載されている。この目印としては、外被１０５とは違う色のラインをスロット部１０１の直上の外皮１０５に印刷したもの、外被１０５とは違う色で、スロット部１０１の直上外皮に文字、図形などの表面印刷を行ったもの、または、外被１０５とは違う色の樹脂をケーブル長手方向にライン状に押出し成形したものなどが考えられる。また、ＬＣＸに支持線が平行して取付けられている場合には、この支持線の位置により、スロット面の方向を確認することもできる。
【０００６】
従来、天井裏やトンネル、洞道などの暗闇においてＬＣＸを延線する場合には、延線中及び延線後に、ライト等の照明器具によりＬＣＸの表面を照らし、目印や支持線の位置を確認し、スロット面の方向を確認していた。
【先行技術文献】
【特許文献】
【０００７】
【特許文献１】特開２００３−１６８３３０号公報
【発明の概要】
【発明が解決しようとする課題】
【０００８】
前述したように、ＬＣＸは、スロット面１０１の法線を一定方向に揃えて向けて延線することが望ましく、また、スロット部１０１が金属体に覆われ無いように注意して延線する必要がある。
【０００９】
しかしながら、ＬＣＸは、延線時に捻回が生じてしまうことが多く、スロット部１０１の方向を一定に保ち難い。従って延線の終了したＬＣＸについて、捻回が発生していないかを順次確認しながら、その後の延線を行う必要がある。
【００１０】
暗闇においてＬＣＸを延線する場合においては、延線の終了したＬＣＸ及び延線中のＬＣＸについて、照明器具により照明し、スロット面の方向を確認しながら行う必要がある。しかし、図７に示すように、天井裏など、障害物の多い場所においては、柱や突起箇所などの遮光物１０６により照明光が遮られてしまい、スロット面の方向を示す目印１０７が見えなくなる場合が多い。このような場合、作業者は、目印１０７が見える位置まで移動し、スロット面の方向を随時確認しなければならず、作業が煩雑であった。
【００１１】
また、スロット面の方向が確認されたとしても、金属体などをスロット部１０１からどの方向についてどの程度離せばよいのかの判断が困難であり、ＬＣＸ１の延線は容易ではない。
【００１２】
そこで、本発明は、前述の実情に鑑みて提案されるものであり、その目的は、たとえ暗闇であってもスロット面の方向の確認が容易であり、また、金属体などをスロットからどの方向についてどの程度離せばよいのかの判断を容易に行うことができ、延線作業が容易なＬＣＸを提供することにある。
【課題を解決するための手段】
【００１３】
前述の課題を解決し、前記目的を達成するため、本発明に係るＬＣＸは、以下の構成のいずれか一を有するものである。
【００１４】
〔構成１〕
中心導体と中心導体を被覆した絶縁体と絶縁体の外側を覆う外部導体と外部導体を被覆した外被とが同軸構造となされ、外部導体に漏洩電磁界形成用の複数のスロット部が形成された漏洩同軸ケーブルであって、外被の表面には、蓄光塗料により、スロット部の位置を表示する目印が印刷されていることを特徴とするものである。
【００１５】
〔構成２〕
中心導体と中心導体を被覆した絶縁体と絶縁体の外側を覆う外部導体と外部導体を被覆した外被とが同軸構造となされ、外部導体に漏洩電磁界形成用の複数のスロット部が形成された漏洩同軸ケーブルであって、外被の一部は、蓄光樹脂により形成され、この蓄光樹脂により形成された部分が、スロット部の位置を表示する目印となっていることを特徴とするものである。
【００１６】
〔構成３〕
構成１、または、構成２を有する漏洩同軸ケーブルにおいて、目印は、この漏洩同軸ケーブルの軸回りについてのスロット部の位置を中心とする電磁波の放射分布特性を表示するものであることを特徴とするものである。
【発明の効果】
【００１７】
構成１を有する本発明に係るＬＣＸにおいては、外被の表面には、蓄光塗料により、スロット部の位置を表示する目印が印刷されているので、暗闇においても、スロット面の方向の確認が容易である。
【００１８】
構成２を有する本発明に係るＬＣＸにおいては、外被の一部は、蓄光樹脂により形成され、この蓄光樹脂により形成された部分が、スロット部の位置を表示する目印となっているので、暗闇においても、スロット面の方向の確認が容易である。
【００１９】
構成３を有する本発明に係るＬＣＸにおいては、目印は、この漏洩同軸ケーブルの軸回りについてのスロット部の位置を中心とする電磁波の放射分布特性を表示するので、金属体などをスロットからどの方向についてどの程度離せばよいのかの判断を容易に行うことができる。
【００２０】
すなわち、本発明は、たとえ暗闇であってもスロット面の方向の確認が容易であり、また、金属体などをスロットからどの方向についてどの程度離せばよいのかの判断を容易に行うことができ、延線作業の容易化が図られたＬＣＸを提供することができるものである。
【図面の簡単な説明】
【００２１】
【図１】本発明の第１実施形態に係るＬＣＸの構成を示す一部破断斜視図である。
【図２】本発明の第１実施形態に係るＬＣＸの暗闇における延線作業の状態を示す斜視図である。
【図３】本発明の第２実施形態に係るＬＣＸの構成を示す一部破断斜視図である。
【図４】本発明の第３実施形態に係るＬＣＸの構成を示す説明図である。
【図５】従来のＬＣＸの構成を示す一部破断斜視図である。
【図６】従来のＬＣＸの構成を示す横断面図である。
【図７】従来のＬＣＸの暗闇における延線作業の状態を示す斜視図である。
【発明を実施するための形態】
【００２２】
以下、本発明を実施するための形態について図面を参照して説明する。
【００２３】
図１は、本発明に係るＬＣＸの構成を示す一部破断斜視図である。
【００２４】
本発明に係るＬＣＸ１は、図１に示すように、中心導体２と、この中心導体２を被覆した絶縁体３と、この絶縁体３の外側を覆う外部導体４とが同軸構造となされ、外部導体４が外被（シース）５により被覆されて構成されている。
【００２５】
外部導体４には、導体内部の電磁エネルギーを外部に漏洩させるために、複数の長孔状のスロット部６が設けられている。これらスロット部６は、ケーブル軸円周方向の一定の位置（すなわち一定の角位置）において、ケーブル軸に沿う列（スロット列）をなして形成されている。各スロット部６は、ケーブル軸に対して所定傾斜角αを持って傾斜している。各スロット部６は、ケーブル軸に対して周期的に設けられ、各周期には、例えば前記傾斜角αが相互に異なる複数のスロット部６が設けられている。
【００２６】
前述の如く（背景技術の説明参照）、外部導体４の表面においてスロット部６が形成された面をスロット面と言い、ＬＣＸは、スロット面の法線方向がＬＣＸ全長で、一定方向を向くように延線することが望ましい。又、ＬＣＸ１においては、スロット面の方向が、金属体などによって覆われないようにして延線する必要がある。
【００２７】
この実施形態のＬＣＸ１においては、スロット部６直上の外被５の表面に、スロット面の位置を表示する目印７が蓄光塗料により印刷されている。この目印７は、スロット列上となる位置に、スロット列に沿う直線状に印刷されている。
【００２８】
なお目印７は、外被５の一部を蓄光樹脂により、押出し成形等によって形成することによって設けてもよい。この場合には、蓄光樹脂により形成された部分が、スロット部６の位置を表示する。すなわち、この場合においても、目印７は、スロット列上となる位置に、スロット列に沿う直線状に形成される。
【００２９】
図２は、前記ＬＣＸの暗闇における延線作業の状態を示す斜視図である。
【００３０】
このＬＣＸ１においては、目印７が設けられていることにより、たとえ暗闇において延線する場合においても、図２に示すように、蓄光塗料、または、蓄光樹脂、すなわち、蓄光材料からなる目印７が発光するので、照明器具により照明しなくとも、スロット面の方向を確認することができる。天井裏など障害物の多い場所において、柱や突起箇所などが遮光物１０６となって照明光が遮られた場合においても、目印７が視認できるので、スロット面の方向を確認することができる。
【００３１】
したがって、このＬＣＸ１は、暗闇において延線する場合においても、作業者がスロット面の方向を随時確認することができ、延線作業が煩雑となることがなく、効率的に作業を行うことができる。
【００３２】
図３は、本発明の第２実施形態に係るＬＣＸの構成を示す一部破断斜視図である。
【００３３】
このＬＣＸ１においては、図３に示すように、蓄光材料からなる目印７は、トンネルや洞道内における避難経路（避難方向）を表示する。この場合には、目印７は、直線状の印刷、または、形成部分の一部を矢印形状とするとともに、「避難経路」等の文字と組合わせて表示する。
【００３４】
この場合には、トンネルや洞道内において事故等が発生し、照明の電源が落ちて暗闇となった場合においても、ＬＣＸ１の表面の目印７により、非常口の方向などの避難方向を確認することができるので、円滑な避難を行うことができる。
【００３５】
図４は、本発明の第３実施形態に係るＬＣＸに於ける目印を示す説明図である。
【００３６】
すなわち目印７は、同図に示すように、このＬＣＸ１の軸回りについてのスロット部の位置を中心とする電磁波の放射分布特性を表示する。
【００３７】
なお図４においては、紙面に対する法線がケーブル軸方向であり、グラフに示す電磁波の放射分布特性は、５．２ＧＨｚ無線ＬＡＮ用のＬＣＸ（２０Ｄ−ＳＳＤ）における放射分布特性を示すものである。
【００３８】
このＬＣＸ１においては、蓄光材料からなる目印７は、スロット面を中心とする電磁波の放射が十分に強い角度範囲に対応する範囲に亘って形成される事を示す。なお目印７は、電磁波の放射強度に対応させて、濃淡を設けて形成してもよい。すなわち、目印７の印刷の濃度を電磁波の放射強度に比例させて、電磁波の放射強度が強い方向において目印７の印刷の濃度を高くし、電磁波の放射強度が弱い方向において目印７の印刷の濃度を低くする。
【００３９】
このＬＣＸ１においては、目印７が形成された範囲や濃淡により、金属体などをスロット部６からどの方向についてどの程度離せばよいのかの判断を容易に行うことができ、延線を容易に行うことができる。
【産業上の利用可能性】
【００４０】
本発明は、漏洩同軸ケーブルに関し、特に、表面に蓄光材料による目印を設けた漏洩同軸ケーブルに適用される。
【符号の説明】
【００４１】
２    中心導体
３    絶縁体
４    外部導体
５    外被（シース）
６    スロット部
７    目印
【図１】
2012253646.tif 000003
【図２】
2012253646.tif 000004
【図３】
2012253646.tif 000005
【図４】
2012253646.tif 000006
【図５】
2012253646.tif 000007
【図６】
2012253646.tif 000008
【図７】
2012253646.tif 000009